(57)【要約】【課題】電気使用部の外装ハウジングの通気口を適切に開閉する簡易な構成の通気口開閉機構を有する電気機器を提供することである。【解決手段】この発明に従った電気機器は：発熱要素を格納した電気使用部の外装ハウジング１２の外壁１２ｂに沿い気体導入口ＳＯを開放する開位置と気体導入口を閉鎖する閉位置との間で移動可能に設けられた開閉部材２０と；外装ハウジングの外壁の導電線着脱要素１８に対する導電線１６の端部１６ａの装着により開閉部材を開位置に移動させ、導電線着脱要素からの導電線の端部の分離により開閉部材を閉位置に移動させる開閉部材駆動構造２０ｃ、２２とを備えている。【選択図】    図３
2014123678.tif 000002
【特許請求の範囲】
【請求項１】
電気使用部を格納した外装ハウジングを有する電気機器であって：
外装ハウジングの外壁に、導電線の端部が着脱可能に連結され前記電気使用部に前記導電線からの電気を供給する導電線着脱要素と、前記外装ハウジングの内部と外部とを連通させる通気口と、が設けられており；
前記外壁に沿い前記通気口を開放する開位置と前記通気口を閉鎖する閉位置との間で移動可能に設けられた開閉部材と；
前記導電線着脱要素に対する前記導電線の端部の装着により前記開閉部材を前記開位置に移動させ、前記導電線着脱要素からの前記導電線の端部の分離により前記開閉部材を前記閉位置に移動させる開閉部材駆動構造と；
を備えたことを特徴とする電気機器。
【請求項２】
前記通気口及び前記開閉部材の少なくとも一方に設けられ、前記開閉部材の前記移動により前記通気口に付着した異物を前記通気口から外部に排出させる異物排出構造をさらに備えたことを特徴とする請求項１に記載の電気機器。
【請求項３】
前記開閉部材が前記外装ハウジングの前記外壁の内表面に沿い前記移動が可能であり、
前記異物排出構造が、前記開閉部材から前記通気口中に前記移動の方向と交差する方向に延出し前記開閉部材の前記開位置と前記閉位置との間の前記移動により前記移動の方向における前記通気口の一側面とこの一側面に対向する他側面との間で移動する異物排出突起を含む、
ことを特徴とする請求項２に記載の電気機器。
【請求項４】
前記異物排出構造が、前記開閉部材が前記閉位置に配置されたときに前記異物排出突起が配置される前記通気口の前記他側面に設けられ、前記通気口の内縁から前記通気口の外縁に向かうに伴い前記通気口の前記一側面から遠ざかるよう傾斜された移動方向傾斜面を含む、
ことを特徴とする請求項２又は３に記載の電気機器。
【請求項５】
前記異物排出構造が、前記開閉部材の前記移動の方向と交差する方向において前記電気機器の使用時に前記外装ハウジングが載置される支持面の側に配置されている前記通気口の下端面に設けられ、前記通気口の内縁から前記通気口の外縁に向かうに伴い前記通気口の前記内縁から前記支持面の側に遠ざかるよう傾斜された下方傾斜面を含む、
ことを特徴とする請求項２乃至４の何れか１項に記載の電気機器。
【請求項６】
前記開閉部材駆動構造は、前記開閉部材を前記閉位置に向かい付勢する付勢力を発生させる付勢要素と、前記開閉部材と前記導電線の端部との間に介在され、前記導電線着脱要素に対し装着された前記導電線の端部により押圧されて前記付勢要素の付勢力に抗し前記開閉部材を前記開位置に向かい移動させる押圧駆動要素と、を含む、ことを特徴とする請求項１乃至５の何れか１項に記載の電気機器。
【請求項７】
前記押圧駆動要素は、前記導電線着脱要素に対し装着された前記導電線の端部が当接されて押圧され、前記付勢要素の付勢力に抗し前記開閉部材を前記開位置に向かい移動させる押圧駆動突起、を含む、ことを特徴とする請求項６に記載の電気機器。
【請求項８】
前記押圧駆動要素は、前記開閉部材の前記移動方向と交差する方向において前記外装ハウジングの前記外壁に沿い移動可能な押圧駆動部材を含む、
ことを特徴とする請求項５または６に記載の電気機器。
【請求項９】
前記押圧駆動部材は、前記開閉部材において前記付勢要素により付勢されたときの先端に当接する開閉部材接触端と前記導電線着脱要素に対し装着された前記導電線の端部により押圧される導電線端部押圧端とを有していて、
前記導電線着脱要素に対し装着された前記導電線の端部により前記導電線端部押圧端が押圧されると初期位置から前記外壁に沿い移動し前記開閉部材接触端により前記開閉部材の前記先端を押圧して前記開閉部材を前記付勢手段の付勢力に抗して前記開位置に移動させ、前記導電線着脱要素から前記導電線の端部が分離されることにより前記導電線の端部による前記導電線端部押圧端の押圧が解除されると前記開閉部材接触端による前記開閉部材の前記先端の押圧が解除されて前記開閉部材が前記付勢手段の付勢力により前記開位置から前記閉位置へと移動することを許容し、この間に前記開閉部材の前記先端が前記押圧駆動部材の前記開閉部材接触端を押圧して前記押圧駆動部材を前記初期位置に復帰させる、
ことを特徴とする請求項８に記載の電気機器。
【請求項１０】
前記通気口は、気体導入口であることを特徴とする請求項１乃至９の何れか１項に記載の電気機器。
【請求項１１】
当該電気機器は、光源を含むプロジェクターであることを特徴とする請求項１乃至１０の何れか１項に記載の電気機器。
【発明の詳細な説明】
【技術分野】
【０００１】
この発明は、通気口を開閉する為の通気口開閉機構を有する電気機器に関係している。
【背景技術】
【０００２】
発熱要素及び発熱要素に冷却用の気体を吹きつける冷却要素を含む電気使用機器を格納した外装ハウジングを備え、外装ハウジングの外壁に、導電線の端部（ＡＣプラグ）が着脱可能に連結され電気使用部に導電線からの電気を供給する導電線着脱要素、外装ハウジングの外部から気体を導入する気体導入口、そして外装ハウジングの内部の気体を外部に排出させる気体排出口が設けられている電気機器は、種々知られている。
【０００３】
例えばプロジェクターは、このような電気機器の一種である。プロジェクターにおいては、例えば、電気回路に使用されている種々の電気及び／又は電子部品やレーザ発光素子、ＬＥＤ、又は電球（ランプ）等の光源部（それを冷却するヒートシンクを含む）が発熱要素に対応し、冷却ファンが冷却要素に対応し、導電線の端部が電源プラグに対応し、電源ソケットが導電線着脱要素（ＡＣインレット部）に対応する。
【０００４】
このような電気機器においては、使用時に冷却要素が動作されると外装ハウジングの外部から気体、この場合は空気、が気体導入口を介して外装ハウジングの内部に導入され、冷却要素は導入された気体を発熱要素に吹きつけて発熱要素から熱を取り去り、熱を取った気体は気体排出口を介し外装ハウジングの外部へと排出される。
【０００５】
外装ハウジングの外部の気体、この場合には空気、には例えば埃などの異物が混ざっているので、前述した電気使用部が使用される時には外部の気体とともに異物が気体導入口を通過することになる。このような異物は例えば静電気の影響で気体導入口の周縁に付着しやすい。このような異物が電気機器の外装ハウジングの内部に入り蓄積されると、外装ハウジングの内部における冷却用の気体の流れが悪くなり外装ハウジングの内部の温度が上昇したり、外装ハウジングの内部に湿気が溜りやすくなったりする。外装ハウジングの内部の温度上昇や湿気の増加は、電気使用部の故障の原因になる。
【０００６】
また、気体導入口や気体排出口は、異物が内部に入らないように閉じられていることが好ましい。
【０００７】
特開２００７−５９５９３（特許文献１）には、フィルタを備えた換気機構を有するＰＯＳ端末装置において換気機構のフィルタの目詰まりを防止する為の構造が開示されている。ここにおいては、ＰＯＳ端末装置の外装ハウジングに換気機構が格納されていて、外装ハウジングの外壁に換気装置の為のフィルタが配置されているとともにフィルタの奥にＰＯＳ端末装置の電源スイッチが配置されている。そして、フィルタが電源スイッチを覆った閉位置と電源スイッチを露出させる開位置との間で摺動可能に外装ハウジングの外壁に取り付けられている。外装ハウジングにはフィルタの摺動軌跡に沿いワイパーが配置されていて、電源スイッチをオン・オフ操作する為にはフィルタを閉位置から開位置へと摺動させなければならず、この摺動によりフィルタに付着した埃の如き異物はワイパーにより外装ハウジングの外部に擦り落とされる。
【先行技術文献】
【特許文献】
【０００８】
【特許文献１】特開２００７−５９５９３号公報
【発明の概要】
【発明が解決しようとする課題】
【０００９】
特開２００７−５９５９３（特許文献１）に記載されている構造のように、換気機構部を確実に清掃する為の簡易な構造は広く求められている。
【００１０】
この発明の目的は、気体導入口、気体排出口などの通気口が設けられている電気機器において適切に通気口を開閉する為の簡易な構造の通気口開閉機構を有する電気機器を提供することである。
【課題を解決するための手段】
【００１１】
前述したこの発明の目的を達成する為に、この発明に従った電気機器は：電気使用部を格納した外装ハウジングを有する電気機器であって、外装ハウジングの外壁に、導電線の端部が着脱可能に連結され前記電気使用部に前記導電線からの電気を供給する導電線着脱要素と、前記外装ハウジングの内部と外部とを連通させる通気口と、が設けられており；前記外壁に沿い前記通気口を開放する開位置と前記通気口を閉鎖する閉位置との間で移動可能に設けられた開閉部材と；前記導電線着脱要素に対する前記導電線の端部の装着により前記開閉部材を前記開位置に移動させ、前記導電線着脱要素からの前記導電線の端部の分離により前記開閉部材を前記閉位置に移動させる開閉部材駆動構造と；を備えたことを特徴とする。
【発明の効果】
【００１２】
本発明によれば、簡易な構造でありながら通気口を適切に開閉することが出来る。
【図面の簡単な説明】
【００１３】
【図１】図１の（Ａ）は、この発明の第１の実施形態に従った通気口開閉機構を備えた電気機器の一種であるプロジェクターの外観を示す概略的な斜視図であり；そして、図１の（Ｂ）は、図１の（Ａ）中に示されているプロジェクターの外装ハウジングの上蓋を取り除き外装ハウジング中に格納されている種々の構造の配置を概略的に示す斜視図である。
【図２】図２の（Ａ）は、図１の（Ａ）及び（Ｂ）中に示されているプロジェクターの外装ハウジングの外壁において気体導入口に沿い配置された通気口開閉機構を拡大して概略的に示す水平断面図であり、ここに於いては、外装ハウジングの外壁の導電線着脱要素の一種である電源ソケットに導電線の一種である電源コードの端部である電源プラグが差し込まれておらず通気口開閉機構は気体導入口を閉鎖していて；そして、図２の（Ｂ）は図２の（Ａ）のＢ−Ｂ線に沿った概略的な縦断面図である。
【図３】図３は、図１の（Ａ）及び（Ｂ）中に示されているプロジェクターの外装ハウジングの外壁において気体導入口に沿い配置された通気口開閉機構を拡大して概略的に示す水平断面図であり、ここに於いては、外装ハウジングの外壁の導電線着脱要素の一種である電源ソケットに導電線の一種である電源コードの端部である電源プラグが差し込まれていて通気口開閉機構は気体導入口を開放している。
【図４】図４は、この発明の第２の実施形態に従った通気口開閉機構を備えた電気機器の一種であるプロジェクターの外装ハウジングの外壁において気体導入口に沿い配置された通気口開閉機構を拡大して概略的に示す水平断面図であり、ここに於いては、外装ハウジングの外壁の導電線着脱要素の一種である電源ソケットに導電線の一種である電源コードの端部である電源プラグが差し込まれておらず通気口開閉機構は気体導入口を閉鎖している。
【図５】図５は、この発明の第２の実施形態に従った通気口開閉機構を備えた電気機器の一種であるプロジェクターの外装ハウジングの外壁において気体導入口に沿い配置された通気口開閉機構を拡大して概略的に示す水平断面図であり、ここに於いては、外装ハウジングの外壁の導電線着脱要素の一種である電源ソケットに導電線の一種である電源コードの端部である電源プラグが差し込まれていて通気口開閉機構は気体導入口を開放している。
【発明を実施するための形態】
【００１４】
［第１の実施形態］
図１の（Ａ）には、この発明の第１の実施形態に従った通気口開閉機構を備えた電気機器の一種であるプロジェクター１０の外観が概略的に示されている。プロジェクター１０は、平坦な略直方体形状の外装ハウジング１２を備えている。外装ハウジング１２は、略四角形の底壁１２ａ及び底壁１２ａと一体的に形成されて底壁１２ａの外周辺から立ち上がり底壁１２ａを取り囲んだ略四角の筒形の外周壁１２ｂを有したハウジング本体を含む。ハウジング本体はさらに、外周壁１２ｂに対して底壁１２ａとは反対側の外周壁１２ｂの開口を覆った上蓋１２ｃを含む。上蓋１２ｃは、外周壁１２ｂの上端に対し着脱可能に取り付けられている。ハウジング本体の底壁１２ａ及び外周壁１２ｂと上蓋１２ｃとは、外装ハウジング１２の外壁を構成している。
【００１５】
図１の（Ｂ）には、図１の（Ａ）中に示されているプロジェクター１０の外装ハウジング１２の上蓋１２ａを取り除きハウジング本体中に格納されている種々の構造の配置が概略的に示されている。種々の構造は、ハウジング本体の内部空間の右側に配置された電気及び電子回路基板１４ａ、前記内部空間の左側に配置された光学系１４ｂ、そして前記内部空間の中央に配置された投写画像形成・冷却ブロック１４ｃを含む。
【００１６】
外装ハウジング１２の外周壁１２ｂの前壁部には、光学系１４ｂの図示されていない投写レンズを含む外端部ＯＥが配置された投写開口ＰＯ及び投写画像形成・冷却ブロック１４ｃにおいて前記前壁部に隣接して配置されている電動排気ファンＤＦに対向する気体排出口ＤＯが形成されている。この実施形態において気体排出口ＤＯは、複数のスリットで構成されている。
【００１７】
図１の（Ａ）及び（Ｂ）中に示されている如く、外装ハウジング１２の外周壁１２ｂの右側壁部には、気体導入口ＳＯが形成されている。この実施形態において、気体導入口ＳＯは夫々が外装ハウジング１２の底壁１２ａの近傍から外周壁１２ｂの上端まで延出している複数のスリットＳＬ１で構成されている。複数のスリットＳＬ１は、右側壁部において外装ハウジング１２の外周壁１２ｂの前壁部の近傍から後壁部の近傍まで相互に平行に並んで配置されている。
【００１８】
外装ハウジング１２の外周壁１２ｂの後壁部には、電気及び電子回路基板１４ａに対し電流を供給する為の電源コード１６の端部のプラグ１６ａが着脱可能に連結されるソケット（ＡＣプラグインレット）１８が右側壁の近傍に配置されている。後壁部にはさらに、電気及び電子回路基板１４ａに設けられている種々の電気及び電子回路に入力する為の入力信号を含む電気及び電子回路を制御する為の電気信号を供給する為の図示されていない複数の信号線（ケーブル）が着脱可能に接続される電気信号線接続端子部１９が配置されている。
【００１９】
図１の（Ｂ）中に示されている如く、光学系１４ｂは前記外端部とは反対側で投写画像形成・冷却ブロック１４ｃに隣接した前段部を有する。投写画像形成・冷却ブロック１４ｃは、光学系１４ｂの前段部において光学系１４ｂにより投写させる光学画像を形成する為の投写画像形成部ＰＩを含む。投写画像形成部ＰＩは、光源として図示されていないレーザダイオ―ドやＬＥＤ等の発光素子からなる光源を使用しカラー光学画像を形成することが出来る。投写画像形成部ＰＩはさらに光源を冷却する為のヒートシンクＨＳを有する。投写画像形成・冷却ブロック１４ｃはさらに、ヒートシンクＨＳと電気及び電子回路基板１４ａとの間に電動給気ファンＳＦを有する。
【００２０】
この実施形態のプロジェクター１０においては、プロジェクター１０の底壁１２ａが、図示されていない支持体、例えばテーブル上に載置され、電気信号線接続端子部１９に図示されていない複数の電気信号線の端子が着脱可能に接続されるとともにソケット１８に図１の（Ａ）中に示されている電源コード１６の端部のプラグ１６ａが接続された後、前述した図示されていない複数の信号線から電気信号が入力されると、入力された電気信号に従い電気及び電子回路基板１４ａの電気及び電子回路が投写画像形成部ＰＩの光源を発光させるとともに種々の電気信号に応じた光学画像を光学系１４ｂの前段部に形成させ、この光学画像を、光学系１４ｂを介し図示されていない投写レンズから投写させる。
【００２１】
この間には、電気及び電子回路基板１４ａの電気及び電子回路が発熱し、また投写画像形成部ＰＩの光源が発熱し、電気及び電子回路基板１４ａの電気及び電子回路が電動排気ファンＤＦ及び電動給気ファンＳＦを動作させる。動作した電動吸気ファンＳＦは、図１の（Ｂ）中に２点鎖線の矢印で示されている如く、外装ハウジング１２の外部空間中の空気（外気）を外装ハウジング１２の外周壁１２ｂの右側壁部の気体導入口ＳＯから外装ハウジング１２の内部空間に吸入し、電気及び電子回路基板１４ａの発熱している電気及び電子回路に吹き付けて発熱した電気及び電子回路から熱を奪う。吸入された空気はそれを冷却した後に、図１の（Ｂ）中にさらに２点鎖線の矢印で示されている如く、投写画像形成部ＰＩの発熱している光源、及びそのヒートシンクＨＳに吹き付けられてヒートシンクＨＳ、ひいては光源から熱を奪い冷却する。このように電気及び電子回路及びヒートシンクＨＳ、ひいては光源から熱を奪った後に温められた空気は、図１の（Ｂ）中にさらに２点鎖線の矢印で示されている如く、電動排気ファンＤＦにより外装ハウジング１２の内部空間中から外装ハウジング１２の外周壁１２ｂの前壁部の気体排出口ＤＯから外装ハウジング１２の外部空間中に排出される。
【００２２】
この発明の第１の実施形態に従った気体導入口等の通気口の開閉機構を備えた電気機器の一種であり前述した如く構成され、動作するプロジェクター１０においては、プロジェクター１０の動作時に発熱する電気及び電子回路基板１４ａの電気及び電子回路、投写画像形成部ＰＩの光源、そして光源を冷却する為のヒートシンクＨＳは発熱要素に対応し、電動吸気ファンＳＦは発熱要素に冷却用の気体、この実施形態では空気（外気）を吹き付ける冷却要素に対応している。
【００２３】
プロジェクター１０においてはさらに、発熱要素を含む電気及び電子回路基板１４ａそして投写画像形成・冷却ブロック１４ｃが電気使用部に対応している。
【００２４】
プロジェクター１０においてはさらに、電源コード１６が導電線に対応し、電源コード１６の端部のプラグ１６ａが着脱可能に連結されるソケット１８が導電線着脱要素に対応している。
【００２５】
この発明の第１の実施形態に従った通気口開閉機構を備えた電気機器の一種であり前述した如く構成され、動作するプロジェクター１０は、気体導入口ＳＯを清掃する為の異物排出構造をさらに備えている。
【００２６】
次には、図２及び図３を参照しながら、通気口開閉機構の第１の実施形態を説明する。
【００２７】
第１の実施形態の通気口開閉機構は、外装ハウジング１２の外壁の一部である外周壁１２ｂの右側壁部の内表面に沿い右側壁部の気体導入口ＳＯの複数のスリットＳＬ１を開放する開位置（図３参照）と気体導入口ＳＯの複数のスリットＳＬ１を閉鎖する閉位置（図２の（Ａ）参照）との間で移動可能に設けられた開閉部材２０を備えている。
【００２８】
詳細には、開閉部材２０は、外装ハウジング１２の外壁の一部である外周壁１２ｂの右側壁部の内表面に沿い外壁の一部である外周壁１２ｂの前壁部の近傍と後壁部の近傍との間を延出した細長い帯板形状をしており、開閉部材２０には、外装ハウジング１２の外壁の一部である外周壁１２ｂの右側壁部の気体導入口ＳＯの複数のスリットＳＬ１と同様な形状の複数のスリットＳＬ２が形成されている。
【００２９】
図２の（Ａ）中に示されている閉位置においては、開閉部材２０の複数のスリットＳＬ２間の格子部２０ａ及び前壁部側隣接部分（開閉部材２０の複数のスリットＳＬ２における外装ハウジング１２の外周壁１２ｂの前壁部に最も近いスリットＳＬ２において前壁部の側に隣接した開閉部材２０の部分）２０ｆが、外装ハウジング１２の外周壁１２ｂの右側壁部の気体導入口ＳＯの複数のスリットＳＬ１に重複して複数のスリットＳＬ１を閉鎖する。
【００３０】
図３中に示されている開位置においては、開閉部材２０の複数のスリットＳＬ２間の格子部２０ａが外装ハウジング１２の外周壁１２ｂの右側壁部の気体導入口ＳＯの複数のスリットＳＬ１間の格子部ＬＰに重複するとともに、開閉部材２０の前壁部側隣接部分（開閉部材２０の複数のスリットＳＬ２における外装ハウジング１２の外周壁１２ｂの前壁部に最も近いスリットＳＬ２において前壁部の側に隣接した開閉部材２０の部分）２０ｆが、外装ハウジング１２の外周壁１２ｂの右側壁部の前壁部側隣接部分（右側壁部の複数のスリットＳＬ１における外装ハウジング１２の外周壁１２ｂの前壁部に最も近いスリットＳＬ１において前壁部の側に隣接した右側壁部の部分）１２ｄに重複して複数のスリットＳＬ１を開放する。
【００３１】
図２中に示されている如く、外装ハウジング１２の外周壁１２ｂの右側壁部の内表面には、複数のスリットＳＬ１の夫々において外周壁１２ｂの後壁部の側の縁から外装ハウジング１２の内部空間中に停止突起ＳＴが突出している。閉位置に配置されている開閉部材２０の複数の格子部２０ａの夫々における後壁部の側の側面は、外装ハウジング１２の外周壁１２ｂの右側壁部の内表面の複数の停止突起ＳＴにおける前壁側の側面に当接することにより閉位置に位置決めされる。
【００３２】
開閉部材２０において外装ハウジング１２の外周壁１２ｂの前壁部の側の前端面と、外装ハウジング１２の外周壁１２ｂの前壁部の内表面と、の間には、開閉部材２０を閉位置に向かい付勢する付勢手段２２が介在されている。付勢手段２２は、例えば圧縮コイルばねや板ばねやゴムの如き弾性材料により大きな弾性行程が得られるよう成形された弾性材料成形体である。
【００３３】
図２中に示されている如く、外装ハウジング１２の外周壁１２ｂの後壁部のソケット１８に、図１の（Ａ）中に示されている電源コード１６の端部のプラグ１６ａが連結されていない状態では、付勢手段２２はその付勢力により開閉部材２０を閉位置に向かい付勢し、前述した如く閉位置に位置決めさせることが出来る。
【００３４】
図２の（Ａ）中に示されている如く、開閉部材２０の複数の格子部２０ａ及び前壁部側隣接部分２０ｆの夫々は、外装ハウジング１２の外周壁１２ｂの後壁部の側の側面（後側面）から外装ハウジング１２の外周壁１２ｂの右側壁部の気体導入口ＳＯの対応するスリットＳＬ１中に開閉部材２０の閉位置（図２の（Ａ））と開位置（図３）との間の移動方向に対し略直角に交差する方向に延出している異物排出突起２０ｂを含む。開閉部材２０の夫々の異物排出突起２０ｂは、対応しているスリットＳＬ１における外装ハウジング１２の底壁１２ａの側の下端から外周壁１２ｂの上端までの高さと同じ高さを有している。
【００３５】
図２の（Ａ）中に示されている如く、開閉部材２０が閉位置に配置されている時に、複数の異物排出突起２０ｂの夫々が対向する気体導入口ＳＯの対応するスリットＳＬ１の後側面（格子部ＬＰの外周壁１２ｂの前壁側の側面）は、夫々のスリットＳＬ１の内端から外端に向かうに伴い、外周壁１２ｂの前壁側の側面から遠ざかるよう傾斜された、この実施形態では湾曲された、移動方向傾斜面ＳＳを含む。
【００３６】
図２の（Ｂ）中に示されている如く、気体導入口ＳＯの複数のスリットＳＬ１の夫々の下端面（底壁１２ａの側の端面）には、夫々のスリットＳＬ１の内端から外端に向かうに伴い、夫々のスリットの内端から底壁１２ａに向かい傾斜された下方傾斜面ＤＳを含む。なお図２の（Ｂ）には、開閉部材２０の個々の格子部２０ｂが対応しているスリットＳＬ１中に突出している様子が、仮想線（２点鎖線）により示されている。
【００３７】
図２の（Ａ）中に示されている如く、開閉部材２０において外装ハウジング１２の外周壁１２ｂの後壁側の後端部には、ソケット１８の内部空間内に突出した押圧駆動突起２０ｃが設けられている。
【００３８】
図３中に示されている如く、外装ハウジング１２の外周壁１２ｂの後壁のソケット１８に電源コード１６のプラグ１６ａが差し込まれると、ソケット１８の内部空間内に突出されていた開閉部材２０の押圧駆動突起２０ｃが、電源コード１６のプラグ１６ａにより外装ハウジング１２の外周壁１２ｂの前壁側に押される。電源コード１６のプラグ１６ａにより押圧駆動突起２０ｃがこのように押されると、開閉部材２０の前端面が付勢手段２２をその付勢力に抗し押し縮めながら、開閉部材２０は、図２の（Ａ）中の閉位置から図３中に示されている開位置へと外装ハウジング１２の外周壁１２ｂの右側壁の内表面に沿い移動する。
【００３９】
この移動は、開閉部材２０の複数の格子部２０ａの異物排出突起２０ｂが、図３中に示されている如く、気体導入口ＳＯの対応するスリットＳＬ１の前側面に相当する格子部ＬＰの外周壁１２ｂの後壁側の側面に当接することにより停止される。
【００４０】
このとき、開閉部材２０の複数のスリットＳＬ２間の格子部２０ａが、気体導入口ＳＯの複数のスリットＳＬ１間の格子部ＬＰに重複するとともに、開閉部材２０の前壁部側隣接部分（開閉部材２０の複数のスリットＳＬ２における外装ハウジング１２の外周壁１２ｂの前壁部に最も近いスリットＳＬ２において前壁部の側に隣接した開閉部材２０の部分）２０ｆが、外装ハウジング１２の外周壁１２ｂの右側壁部の前壁部側隣接部分（複数のスリットＳＬ１における外装ハウジング１２の外周壁１２ｂの前壁部に最も近いスリットＳＬ１において前壁部の側に隣接した外周壁１２ｂの右側壁部の部分）１２ｄに重複する。
【００４１】
このときに、開閉部材２０の複数のスリットＳＬ２が外装ハウジング１２の外周壁１２ｂの右側壁部の気体導入口ＳＯの複数のスリットＳＬ１に重複するので、複数のスリットＳＬ１が開放される。このときの開閉部材２０の位置が前述した開位置である。
【００４２】
この後、プロジェクター１０が前述した如く動作され、そして外装ハウジング１２中の電動吸気ファンＳＦ（図１の（Ｂ）参照）及び電動排気ファンＤＦ（図１の（Ｂ）参照）が動作されると、図１の（Ｂ）中に２点鎖線の矢印で示されている如く、外装ハウジング１２の外部の空気（外気）が外装ハウジング１２の外周壁１２ｂの右側壁部の気体導入口ＳＯの複数のスリットＳＬ１及び開閉部材２０の複数のスリットＳＬ２を介して外装ハウジング１２の内部空間中に吸入される。そして、吸入された空気は、内部空間中の発熱要素、この実施形態では、前述した如く電気及び電子回路基板１４ａの発熱している電気及び電子回路及び投写画像形成部ＰＩの発熱している光源及びそのヒートシンクＨＳから熱を奪い冷却し、外装ハウジング１２の内部空間中から外装ハウジング１２の外周壁１２ｂの前壁部の気体排出口ＤＯを介し外装ハウジング１２の外部空間中に排出される。
【００４３】
この通気の過程で、気体導入口ＳＯの複数のスリットＳＬ１の夫々の周面（下端面、後側面、前側面（この実施形態では、前側面を覆っている開閉部材２０の個々の異物排出突起２０ａの後側面）、そして個々のスリットＳＬ１の上端開口を覆っている外装ハウジング１２の上蓋１２ｃの部分に、外部の空気（外気）中に含まれている異物、例えば埃が付着しやすい。
【００４４】
その後、プロジェクター１０の前述した動作が停止され、そして外装ハウジング１２の外周壁１２ｂの後壁のソケット１８から電源コード１６のプラグ１６ａが分離されると、ソケット１８の内部空間内に突出されていた開閉部材２０の押圧駆動突起２０ｃに対する外装ハウジング１２の外周壁１２ｂの前壁側に向かう押圧が無くなる。
【００４５】
この結果、開閉部材２０の前端面が付勢手段２２の付勢力により付勢されて、開閉部材２０は、図３中に示されている開位置から図２の（Ａ）中に示されている閉位置へと復帰される。
【００４６】
このことは、第１の実施形態においては、開閉部材２０の後端部の押圧駆動突起２０ｃ及び開閉部材２０の前端部の付勢手段２２の組み合わせが、導電線脱着要素に対応している外装ハウジング１２の外周壁１２ｂの後壁のソケット１８に対する導電線の端部に対応する電源コード１６のプラグ１６ａの装着により開閉部材２０を開位置（図３）に移動させ、導電線脱着要素に対応している外装ハウジング１２の外周壁１２ｂの後壁のソケット１８からの導電線の端部に対応する電源コード１６のプラグ１６ａの分離により開閉部材２０を閉位置（図２の（Ａ））に移動させる開閉部材移動構造（開閉機構）を提供していることを意味している。
【００４７】
さらに第１の実施形態における開閉部材２０の後端部の押圧駆動突起２０ｃは、開閉部材駆動構造において、開閉部材２０と電源コード１６のプラグ１６ａとの間に介在されソケット１８に装着された電源コード１６のプラグ１６ａにより押圧されて、開閉部材２を閉位置に向かい付勢する付勢力を発生させる付勢要素２２の付勢力に抗し開閉部材２０を開位置に向かい移動させる押圧駆動要素を提供している。
【００４８】
前出した如く開閉部材２０が開位置（図３）から閉位置（図２の（Ａ））に移動される間には、開閉部材２０の複数の異物排出突起２０ａが、気体導入口ＳＯの複数のスリットＳＬ１の周面に付着されていた異物、例えば埃を複数のスリットＳＬ１の周面から外装ハウジング１２の外周壁１２ｂの右側壁の外部に擦り出し排出させる。
【００４９】
このことは、開閉部材２０の複数の異物排出突起２０ａが異物排出構造として機能することを意味している。
【００５０】
この実施形態においては、気体導入口ＳＯの複数のスリットＳＬ１の夫々の移動方向傾斜面ＳＳ及び下方傾斜面ＤＳもまた、複数のスリットＳＬ１に付着する異物、例えば埃が外装ハウジング１２の外周壁１２ｂの右側壁の外部に排出されるのを容易にしている。
【００５１】
このことは、この実施形態においては、複数のスリットＳＬ１の夫々の移動方向傾斜面ＳＳ及び下方傾斜面ＤＳもまた、異物排出構造として機能することを意味している。
【００５２】
前述したことから明らかなようにこのように構成されているこの発明の第１の実施形態に従った通気口開閉機構は、簡易な構造でありながらプロジェクター１０の如き電気機器の外装ハウジング１２の気体導入口ＳＯ等の通気口を適切に開閉するとともに、確実に清掃することが出来る。
【００５３】
［第２の実施形態］
次には、図４及び図５を参照しながら、前記通気口開閉機構の第２の実施形態を説明する。
【００５４】
第２の実施形態の通気口開閉機構は、図２及び図３を参照しながら前述した第１の実施形態の通気口開閉機構の構成部材と同じ構成部材を使用しており、第２の実施形態の通気口開閉機構において第１の実施形態の通気口開閉機構の構成部材と同じ構成部材には同じ参照符号を記して詳細な説明は省略する。
【００５５】
なお図４中において開閉部材２０は図２の（Ａ）中に示されていたのと同じ閉位置に配置されており、図５中において開閉部材２０は図３中に示されていたのと同じ開位置に配置されている。
【００５６】
第２の実施形態の通気口開閉機構が、図２及び図３を参照しながら前述した第１の実施形態の通気口開閉機構と異なっているのは、外装ハウジング１２の外周壁１２ｂの後壁部において外周壁１２ｂの右側壁部からソケット１８までの距離が遠くなっていることである。
【００５７】
また、第２の実施形態の通気口開閉機構は、開閉部材２０の開位置と閉位置との間の移動方向と交差する方向において外装ハウジング１２の外周壁１２ｂの後壁部の内表面に沿い外周壁１２ｂの右側壁部とソケット１８との間で移動可能に配置された押圧駆動部材３０を備えている。
【００５８】
押圧駆動部材３０は、開閉部材２０において付勢要素２２により付勢されたときの先端となる後壁側の後端部の押圧駆動突起２０ｃに接する開閉部材接触端３０ａとソケット１８の内部空間内に突出したプラグ押圧端３０ｂとを有している。押圧駆動部材３０の開閉部材接触端３０ａと外装ハウジング１２の外周壁１２ｂの右側壁部の内表面との間には付勢手段３２が介在されている。付勢手段３２は、開閉部材２０の為の付勢手段２２と同様に、例えば圧縮コイルばねや板ばねやゴムの如き弾性材料により大きな弾性行程が得られるよう成形された弾性材料成形体である。
【００５９】
この実施形態において付勢手段３２は、押圧駆動部材３０を図４中に示されている初期位置に位置決めしている初期位置・位置決め手段としても機能している。初期位置の押圧駆動部材３０の開閉部材接触端３０ａは付勢要素２２により付勢されて閉位置に配置されている開閉部材２０の押圧駆動突起２０ｃに接しており、また同時にプラグ押圧端３０ｂはソケット１８の内部空間内に突出している。
【００６０】
図４中に示されている如く外装ハウジング１２の外周壁１２ｂの後壁のソケット１８に電源コード１６のプラグ１６ａが差し込まれていないときには、押圧駆動部材３０は前述した如く初期位置（閉位置）に配置されていて、開閉部材２０は前述した如く閉位置に配置されている。
【００６１】
図５中に示されている如く、外装ハウジング１２の外周壁１２ｂの後壁のソケット１８に電源コード１６のプラグ１６ａが差し込まれると、ソケット１８の内部空間内に突出されていた押圧駆動部材３０のプラグ押圧端３０ｂが電源コード１６のプラグ１６ａにより図４中に示されていた初期位置から外装ハウジング１２の外周壁１２ｂの右側壁の側に押され、開閉部材接触端３０ａは付勢要素３２を付勢力に抗し押し縮める。
【００６２】
この間に押圧駆動部材３０の開閉部材接触端３０ａはまた、開閉部材２０の押圧駆動突起２０ｃを外装ハウジング１２の外周壁１２ｂの前壁側に押し、開閉部材２０は、外周壁１２ｂの前壁側の開閉部材２０の前端面で付勢手段２２をその付勢力に抗し押し縮めながら図４中の閉位置から図３中に示されていたのと同じ開位置へと外装ハウジング１２の外周壁１２ｂの右側壁の内表面に沿い移動する。このときの押圧駆動部材３０の位置は開閉部材駆動位置（開位置）である。
【００６３】
開閉部材２０のこの移動は、開閉部材２０の複数の格子部２０ａの異物排出突起２０ｂが、図５中に示されている如く、気体導入口ＳＯの対応するスリットＳＬ１の前側面に相当する格子部ＬＰの外周壁１２ｂの後壁側の側面に当接することにより停止され、開閉部材２０は前述した開位置に配置される。
【００６４】
このとき、開閉部材２０の複数のスリットＳＬ２間の格子部２０ａが、外装ハウジング１２の外周壁１２ｂの右側壁部の気体導入口ＳＯの複数のスリットＳＬ１間の格子部ＬＰに重複するとともに、開閉部材２０の前壁部側隣接部分（開閉部材２０の複数のスリットＳＬ２における外装ハウジング１２の外周壁１２ｂの前壁部に最も近いスリットＳＬ２において前壁部の側に隣接した開閉部材２０の部分）２０ｆが、外周壁１２ｂの右側壁部の前壁部側隣接部分（気体導入口ＳＯの複数のスリットＳＬ１における外装ハウジング１２の外周壁１２ｂの前壁部に最も近いスリットＳＬ１において前壁部の側に隣接した外周壁１２ｂの右側壁部の部分）１２ｄに重複する。
【００６５】
このときに、開閉部材２０の複数のスリットＳＬ２が外装ハウジング１２の外周壁１２ｂの右側壁部の気体導入口ＳＯの複数のスリットＳＬ１に重複するので、複数のスリットＳＬ１が開放される。
【００６６】
この後、プロジェクター１０が前述した如く動作され、そして外装ハウジング１２中の電動吸気ファンＳＦ（図１の（Ｂ）参照）及び電動排気ファンＤＦ（図１の（Ｂ）参照）が動作されると、図１の（Ｂ）中に２点鎖線の矢印で示されている如く、外装ハウジング１２の外部の空気（外気）が外装ハウジング１２の外周壁１２ｂの右側壁部の気体導入口ＳＯの複数のスリットＳＬ１及び開閉部材２０の複数のスリットＳＬ２を介して外装ハウジング１２の内部空間中に吸入される。そして、吸入された空気は、内部空間中の発熱要素、この実施形態では、前述した如く電気及び電子回路基板１４ａの発熱している電気及び電子回路及び投写画像形成部ＰＩの発熱している光源及びそのヒートシンクＨＳから熱を奪い冷却し、外装ハウジング１２の内部空間中から外装ハウジング１２の外周壁１２ｂの前壁部の気体排出口ＤＯを介し外装ハウジング１２の外部空間中に排出される。
【００６７】
この通気の過程で、気体導入口ＳＯの複数のスリットＳＬ１の夫々の周面（下端面，後側面，前側面（この実施形態では、前側面を覆っている開閉部材２０の個々の異物排出突起２０ａの後側面）、そして個々のスリットＳＬ１の上端開口を覆っている外装ハウジング１２の上蓋１２ｃの部分、外部の空気（外気）中に含まれている異物、例えば埃が付着しやすい。
【００６８】
その後、プロジェクター１０の前述した動作が停止され、そして外装ハウジング１２の外周壁１２ｂの後壁のソケット１８から電源コード１６のプラグ１６ａが分離されると、ソケット１８の内部空間内に突出されていた押圧駆動部材３０のプラグ押圧端３０ｂに対する外装ハウジング１２の外周壁１２ｂの右側壁に向かう押圧が無くなる。
【００６９】
この結果、押圧駆動部材３０の開閉部材接触端３０ａが付勢手段３２の付勢力により付勢されて、押圧駆動部材３０は、図５中に示されている開閉部材駆動位置から図４中に示されている初期位置へと復帰される。
【００７０】
同時に、押圧駆動部材３０は、開閉部材接触端３０ａによる開閉部材２０の押圧駆動突起２０ｃに対する外装ハウジング１２の外周壁１２ｂの前壁側に向かう押圧を無くす。
【００７１】
この結果、開閉部材２０の前端面が付勢手段２２の付勢力により付勢されて、開閉部材２０は、図５中に示されている開位置から図４中に示されている閉位置へと復帰することを許容される。
【００７２】
このことは、第２の実施形態においては、プラグ押圧端３０ｂ及び開閉部材接触端３０ａを有している押圧駆動部材３０、押圧駆動部材３０の開閉部材接触端３０ａの付勢手段３２、開閉部材２０の後端部の押圧駆動突起２０ｃ、そして開閉部材２０の前端部の付勢手段２２の組み合わせが、導電線脱着要素に対応している外装ハウジング１２の外周壁１２ｂの後壁のソケット１８に対する導電線の端部に対応する電源コード１６のプラグ１６ａの装着により開閉部材２０を開位置（図５）に移動させ、導電線脱着要素に対応している外装ハウジング１２の外周壁１２ｂの後壁のソケット１８からの導電線の端部に対応する電源コード１６のプラグ１６ａの分離により開閉部材２０を閉位置（図４）に移動させる開閉部材移動構造（開閉機構）を提供していることを意味している。
【００７３】
そして、導電線脱着要素に対応している外装ハウジング１２の外周壁１２ｂの後壁のソケット１８に対し導電線の端部に対応する電源コード１６のプラグ１６ａが装着されることにより電源コード１６のプラグ１６ａにより押圧される押圧駆動部材３０のプラグ押圧端３０ｂは導電線端部押圧端を提供している。
【００７４】
さらに第２の実施形態におけるプラグ押圧端３０ｂ及び開閉部材接触端３０ａを有している押圧駆動部材３０と開閉部材２０の後端部の押圧駆動突起２０ｃとの組み合わせは、開閉部材駆動構造において、開閉部材２０と電源コード１６のプラグ１６ａとの間に介在されソケット１８に装着された電源コード１６のプラグ１６ａにより押圧されて、開閉部材２を閉位置に向かい付勢する付勢力を発生させる付勢要素２２の付勢力に抗し開閉部材２０を開位置に向かい移動させる押圧駆動要素を提供している。
【００７５】
前述した如く開閉部材２０が開位置（図５）から閉位置（図４）に移動される間には、開閉部材２０の複数の異物排出突起２０ａが、気体導入口ＳＯの複数のスリットＳＬ１の周面に付着されていた異物、例えば埃を複数のスリットＳＬ１の周面から外装ハウジング１２の外周壁１２ｂの右側壁の外部に擦り出し排出させる。
【００７６】
このことは、開閉部材２０の複数の異物排出突起２０ａが異物排出構造として機能することを意味している。
【００７７】
この実施形態においては、気体導入口ＳＯの複数のスリットＳＬ１の夫々の移動方向傾斜面ＳＳ及び下方傾斜面ＤＳもまた、複数のスリットＳＬ１に付着する異物、例えば埃が外装ハウジング１２の外周壁１２ｂの右側壁の外部に排出されるのを容易にしている。
【００７８】
このことは、この実施形態においては、複数のスリットＳＬ１の夫々の移動方向傾斜面ＳＳ及び下方傾斜面ＤＳもまた、異物排出構造として機能することを意味している。
【００７９】
前述したことから明らかなようにこのように構成されているこの発明の第２の実施形態に従った通気口開閉機構でも、簡易な構造でありながらプロジェクター１０の如き電気機器の外装ハウジング１２の気体導入口ＳＯを確実に清掃することが出来る。
【００８０】
なおこの第２の実施形態に従った通気口開閉機構は、押圧駆動部材３０の為の付勢手段３２は無くとも、付勢手段３２があった場合と同様に動作することが出来る。何故ならば、付勢手段２２の付勢力により図４中に示されている閉位置に配置されている開閉部材２０はその後端部の押圧駆動突起２０ｃにより押圧駆動部材３０の開閉部材接触端３０ａを押圧して、押圧駆動部材３０をプラグ押圧端３０ｂがソケット１８中に突出した初期位置に移動させるからである。
【００８１】
また、押圧駆動部材３０の開閉部材接触端３０ａが、図４中に示されている閉位置に配置されている開閉部材２０の後端部の押圧駆動突起２０ｃから離れて、押圧駆動部材３０のプラグ押圧端３０ｂが初期位置を越えてソケット１８中に突出しないようにするとともに、また押圧駆動部材３０の初期位置から開閉部材駆動位置への移動は許容するよう押圧駆動部材３０を初期位置に保持するようにする図示しない停止部材を、押圧駆動部材３０、ソケット１８、そして外装ハウジング１２の少なくともいずれかに設けることが好ましい。
【００８２】
なお、各実施形態では、通気口開閉機構を、気体を導入する気体導入口に適用する例で説明したが、気体を外部に排出させる気体排出口に適用するようにしてもよい。
【００８３】
なお、各実施形態では、電気機器としてプロジェクターを例として説明したが、ＡＣインレット部、通気口を有する電子機器において、同様に適用できることは言うまでもない。
【００８４】
以下に、本願発明の当初の特許請求の範囲に記載された発明を付記する。
【００８５】
［１］．  電気使用部を格納した外装ハウジングを有する電気機器であって：
外装ハウジングの外壁に、導電線の端部が着脱可能に連結され前記電気使用部に前記導電線からの電気を供給する導電線着脱要素と、前記外装ハウジングの内部と外部とを連通させる通気口と、が設けられており；
前記外壁に沿い前記通気口を開放する開位置と前記通気口を閉鎖する閉位置との間で移動可能に設けられた開閉部材と；
前記導電線着脱要素に対する前記導電線の端部の装着により前記開閉部材を前記開位置に移動させ、前記導電線着脱要素からの前記導電線の端部の分離により前記開閉部材を前記閉位置に移動させる開閉部材駆動構造と；
を備えたことを特徴とする電気機器。
【００８６】
［２］．  前記通気口及び前記開閉部材の少なくとも一方に設けられ、前記開閉部材の前記移動により前記通気口に付着した異物を前記通気口から外部に排出させる異物排出構造をさらに備えたことを特徴とする前記［１］に記載の電気機器。
【００８７】
［３］．  前記開閉部材が前記外装ハウジングの前記外壁の内表面に沿い前記移動が可能であり、
前記異物排出構造が、前記開閉部材から前記通気口中に前記移動の方向と交差する方向に延出し前記開閉部材の前記開位置と前記閉位置との間の前記移動により前記移動の方向における前記通気口の一側面とこの一側面に対向する他側面との間で移動する異物排出突起を含む、
ことを特徴とする前記［２］に記載の電気機器。
【００８８】
［４］．  前記異物排出構造が、前記開閉部材が前記閉位置に配置されたときに前記異物排出突起が配置される前記通気口の前記他側面に設けられ、前記通気口の内縁から前記通気口の外縁に向かうに伴い前記通気口の前記一側面から遠ざかるよう傾斜された移動方向傾斜面を含む、
ことを特徴とする前記［２］又は［３］に記載の電気機器。
【００８９】
［５］．  前記異物排出構造が、前記開閉部材の前記移動の方向と交差する方向において前記電気機器の使用時に前記外装ハウジングが載置される支持面の側に配置されている前記通気口の下端面に設けられ、前記通気口の内縁から前記通気口の外縁に向かうに伴い前記通気口の前記内縁から前記支持面の側に遠ざかるよう傾斜された下方傾斜面を含む、
ことを特徴とする前記［２］乃至［４］の何れか１つに記載の電気機器。
【００９０】
［６］．  前記開閉部材駆動構造は、前記開閉部材を前記閉位置に向かい付勢する付勢力を発生させる付勢要素と、前記開閉部材と前記導電線の端部との間に介在され、前記導電線着脱要素に対し装着された前記導電線の端部により押圧されて前記付勢要素の付勢力に抗し前記開閉部材を前記開位置に向かい移動させる押圧駆動要素と、を含む、ことを特徴とする前記［１］乃至［５］の何れか１つに記載の電気機器。
【００９１】
［７］．  前記押圧駆動要素は、前記導電線着脱要素に対し装着された前記導電線の端部が当接されて押圧され、前記付勢要素の付勢力に抗し前記開閉部材を前記開位置に向かい移動させる押圧駆動突起、を含む、ことを特徴とする前記［６］に記載の電気機器。
【００９２】
［８］．  前記押圧駆動要素は、前記開閉部材の前記移動方向と交差する方向において前記外装ハウジングの前記外壁に沿い移動可能な押圧駆動部材を含む、
ことを特徴とする前記［５］または［６］に記載の電気機器。
【００９３】
［９］．  前記押圧駆動部材は、前記開閉部材において前記付勢要素により付勢されたときの先端に当接する開閉部材接触端と前記導電線着脱要素に対し装着された前記導電線の端部により押圧される導電線端部押圧端とを有していて、
前記導電線着脱要素に対し装着された前記導電線の端部により前記導電線端部押圧端が押圧されると初期位置から前記外壁に沿い移動し前記開閉部材接触端により前記開閉部材の前記先端を押圧して前記開閉部材を前記付勢手段の付勢力に抗して前記開位置に移動させ、前記導電線着脱要素から前記導電線の端部が分離されることにより前記導電線の端部による前記導電線端部押圧端の押圧が解除されると前記開閉部材接触端による前記開閉部材の前記先端の押圧が解除されて前記開閉部材が前記付勢手段の付勢力により前記開位置から前記閉位置へと移動することを許容し、この間に前記開閉部材の前記先端が前記押圧駆動部材の前記開閉部材接触端を押圧して前記押圧駆動部材を前記初期位置に復帰させる、
ことを特徴とする前記［８］に記載の電気機器。
【００９４】
［１０］．  前記通気口は、気体導入口であることを特徴とする前記［１］乃至［９］の何れか１つに記載の電気機器。
【００９５】
［１１］．  当該電気機器は、光源を含むプロジェクターであることを特徴とする前記［１］乃至［１０］の何れか１つに記載の電気機器。
【符号の説明】
【００９６】
１０…プロジェクター（電気機器）、１２…外装ハウジング、１２ａ…底壁（外壁）、１２ｂ…外周壁（外壁）、１２ｃ…上蓋（外壁）、１２ｄ…前壁部側隣接部分、１４ａ…電気及び電子回路基板（電気使用部：発熱要素）、１４ｂ…光学系、１４ｃ…投写画像形成・冷却ブロック（電気使用部）、ＯＥ…外端部、ＤＦ…電動排気ファン、ＤＯ…気体排出口、ＳＯ…気体導入口、ＳＬ１…スリット（気体導入口）、１６…電源コード（導電線）、１６ａ…プラグ（端部）、１８…ソケット（導電線着脱要素）、１９…電気信号線接続端子部、ＰＩ…投写画像形成部、ＨＳ…ヒートシンク（発熱要素）、ＳＦ…電動吸気ファン（冷却要素）、２０…開閉部材、２０ａ…格子部、２０ｂ…異物排出突起（異物排出機構）、２０ｃ…押圧駆動突起（開閉部材駆動機構：押圧駆動要素）、２０ｆ…前壁部側隣接部分、ＳＬ２…スリット、ＳＴ…停止突起、２２…付勢手段（開閉部材駆動機構）、ＳＳ…移動方向傾斜面（異物排出機構）、ＳＤ…下方傾斜面（異物排出機構）、ＬＰ…格子部、
３０…押圧駆動部材（開閉部材駆動機構：押圧駆動要素）、３０ａ…開閉部材接触端、３０ｂ…プラグ押圧端、３２…付勢手段（開閉部材駆動機構）。
【図１】
2014123678.tif 000003
【図２】
2014123678.tif 000004
【図３】
2014123678.tif 000005
【図４】
2014123678.tif 000006
【図５】
2014123678.tif 000007